(57)【特許請求の範囲】
【請求項１】
高含水比粘土を袋体に注入し袋詰脱水する布帛製の袋詰脱水袋であって、袋体の少なくとも一端部に外部用ジョイントベルトを周方向に沿って突設し、該外部用ジョイントベルトの一端部側の前方位置の先端閉口部に内部用ジョイントベルトを突設し、かつ外周長が縮小する凸部からなる挿入部を形成したことを特徴とする連結可能な袋詰脱水袋。
【請求項２】
高含水比粘土を袋体に注入し袋詰脱水する布帛製の袋詰脱水袋であって、袋体の一端部と他端部からなる両端部に外部用ジョイントベルトを周方向に沿って突設し、一端部側の外部用ジョイントベルトの一端部側の前方位置の先端閉口部に内部用ジョイントベルトを突設し、かつ外周長が縮小する凸部を有する挿入部を形成するとともに、他端部側の外部用ジョイントベルト位置から後方内部に折り返すように前記挿入部に対応して先端閉口部に内部用ジョイントベルトを突設し、かつ外周長が縮小する凹部を有する挿着部を形成し、袋体の挿入部を他の袋体の挿着部に挿入して連結固定可能としたことを特徴とする連結可能な袋詰脱水袋。
【請求項３】
袋体の一端部と他端部との間の中間部に挿入部が形成されている請求項１または２記載の連結可能な袋詰脱水袋。
【請求項４】
袋体の一端部と他端部との間の中間部に挿着部が形成されている請求項２記載の連結可能な袋詰脱水袋。
【請求項５】
少なくとも一方の端部が屈曲している請求項１〜４いずれか１項記載の連結可能な袋詰脱水袋。
【請求項６】
外部用ジョイントベルトと凸部および凹部との間に連結時に相互にオーバーラップするように平行部が設けられている請求項１〜５いずれか１項記載の連結可能な袋詰脱水袋。
【請求項７】
ジョイントベルトに所定間隔で連結用の透孔が設けられている請求項１〜６いずれか１項記載の連結可能な袋詰脱水袋。
【請求項８】
ジョイントベルトによる連結がその透孔に紐状体を螺旋状に通して固定される請求項７記載の連結可能な袋詰脱水袋。
【発明の詳細な説明】
【０００１】
【発明の属する技術分野】
本発明は、布帛製袋に高含水比粘土を注入し、高含水比粘土を袋詰脱水する工法において使用される袋詰脱水袋に関する。
【０００２】
【従来の技術】
一般に、袋詰脱水処理工程は、河川、湖沼、海洋などで浚渫した泥土あるいはヘドロなどの高含水比粘土をポンプを介して圧送して透水性の布帛製袋に注入し、該袋を高含水比粘土で満たしたのち、一定期間放置し脱水することによって行われる。脱水された（必要に応じて再注入、脱水処理が行われた）処理土は、通常は袋詰状態で盛土や埋土として積み重ねて、または覆土などとして有効に利用される。
【０００３】
このような布帛製袋に高含水比粘土を注入し、高含水比粘土を袋詰脱水する工法は、従来のような大型の建設設備あるいは機械は特別必要とせず、特に地盤の弱い場所や搬入路のないような場所での作業に適し、また湖沼などから浚渫した高含水比粘土で仮設堤防を構築あるいは築堤したり、敷設して脱水処理したりすることは、処理土が透水性の袋に覆われているため、土の分散や流れ出しが防止され、その利用価値は高い。この布帛製袋は、必要に応じて任意の大きさに作成可能であるが、例えば５０〜１００ｍを超えるような長大なものを作ることは極めて面倒で、実際上から作成し難いばかりでなく、容積も嵩張るため取り扱い性あるいは作業上の点からも好ましいものではない。かかる場合、施工条件や場所などに応じて適宜袋体の長さが容易にかつ迅速に変えられ、また施工現場で一体的に固定された長い袋詰脱水袋が簡単に組立できれば極めて効率的であり、広い範囲での適用が容易になる利点がある。
【０００４】
【発明が解決しようとする課題】
本発明は、このような問題を解決し、袋体を相互に連結可能にすることにより、一体的に固定された長い袋詰脱水袋が簡単かつ容易に連結でき、袋詰脱水処理工法を広範囲において利用可能とするものであり、連結可能に構成した袋詰脱水袋を提供するものである。
【０００５】
【課題を解決するための手段】
本発明は、高含水比粘土を袋体に注入し袋詰脱水する布帛製の袋詰脱水袋であって、袋体の少なくとも一端部に外部用ジョイントベルトを周方向に沿って突設し、該外部用ジョイントベルトの一端部側の前方位置の先端閉口部に内部用ジョイントベルトを突設し、かつ外周長が縮小する凸部からなる挿入部を形成したことを特徴とする連結可能な袋詰脱水袋、および高含水比粘土を袋体に注入し袋詰脱水する布帛製の袋詰脱水袋であって、袋体の一端部と他端部からなる両端部に外部用ジョイントベルトを周方向に沿って突設し、一端部側の外部用ジョイントベルトの一端部側の前方位置の先端閉口部に内部用ジョイントベルトを突設し、かつ外周長が縮小する凸部を有する挿入部を形成するとともに、他端部側の外部用ジョイントベルト位置から後方内部に折り返すように前記挿入部に対応して先端閉口部に内部用ジョイントベルトを突設し、かつ外周長が縮小する凹部を有する挿着部を形成し、袋体の挿入部を他の袋体の挿着部に挿入して連結固定可能としたことを特徴とする連結可能な袋詰脱水袋である。
【０００６】
この場合、袋体の内外部に位置する内外部用ジョイントベルトによる２つの袋の連結は、対応するジョイントベルトの連結孔間にロープのような紐状体をらせん状に通すことで結合するのがよく、また袋体外部に突設したジョイントベルトと凸部の間および凹部との間には、袋体とほぼ等大の平行部を形成するオーバーラップ部を設けるのが好ましい。なお、連結方向が直線状でなく、例えば直角方向に屈曲している際は、袋体の端部閉口部は同方向でなく、直角方向に屈曲したものとなる。また、連結部を形成する上記記載の挿入部または挿着部は必ずしも両端部に限られることなく、中間部（一端部から他端部までの間）に設けることができる。
【０００７】
【発明の実施の形態】
本発明は、上記のように、袋体の端部にそれぞれ対応する凸部と凹部を有する挿入部ならびに挿着部を設け、袋体外部および凸部と凹部の先端に取り付けた内外部ジョイントベルトで２つの袋を固定することにより、２以上の袋を順次連結して一体化可能にしている。袋の連結は、その凸部先端の内部用ジョイントベルトと他の袋の凹部先端の内部用ジョイントベルトを、さらに袋体外部に取り付けた外部用ジョイントベルトを相互に、例えばロープを通して結ぶことによって行われる。このように、２つの袋は、内外部で二重に固定されるため、確実かつ的確に連結できる。また、挿入部と挿着部は、凸凹状に対応する形状に形成されており、両袋は端部においてほぼ密着し一体的な連結が可能となる。
【０００８】
【実施例】
以下、本発明の実施例を図面に基づいて説明するが、本発明はこの実施例に限定されるものではない。
【０００９】
図１は本発明を実施するに好適な一例を示す連結可能な袋詰脱水袋の斜視模式図、図２の（ａ）、（ｂ）は図１の袋一端に設けた挿入部の平面図と側面図、（ｃ）、（ｄ）は図１の袋他端に設けた挿着部の平面図と側面図、（ｅ）は図（ａ）のａ部断面説明図、図３は袋を連結した状態を説明するための横断面模式図、図４は他の実施例を示す斜視模式図である。なお、上記に図示した袋は、理解し易いように膨らました状態で示している。
【００１０】
図において、１は透水性の布帛からなる袋詰脱水袋で、この例では長さが４０ｍで幅（半円弧）３ｍであり、袋詰脱水袋１は袋本体２とその両端に設けられた挿入部３と挿着部１１を含んで構成される。挿入部３は、袋本体１に突設された所定間隔の連結用透孔５を有する外部用ジョイントベルト４と、このジョイントベルト４の前方位置の先端に形成された閉口部８を有する長さ２ｍの凸部７を有し、該凸部７と外部用ジョイントベルト４の間に袋本体２とほぼ同周または同辺の大きさの１ｍ長の平行部６が介在している。この凸部７は、先端側に向かって外周長が縮小する形状をしており、その先端が閉口部８を形成し該先端の閉口部８には所定間隔の連結用透孔１０を有する長さ２ｍの内部用ジョイントベルト９が突設されている。
【００１１】
また、他端側の挿着部１１は、前記挿入部３に対応する凹部１５などを含んで構成される。すなわち、挿着部１１は、挿入部３と同様に袋本体２に突設された所定間隔の連結用透孔１３を有する外部用ジョイントベルト１２とこのジョイントベルト１２位置で後方に折り返すように形成された袋本体２とほぼ同周または同辺の大きさの平行部１４とこれに連接した凹部１５からなる。凹部１５は、先端側に向かって外周長が縮小する形状をしており、その先端が閉口部１６を形成し、該先端の閉口部１６には所定間隔の連結用透孔１８を有する内部用ジョイントベルト１７が突設されている。この挿着部１１は、閉口部１６の内部用ジョイントベルト１７から引き出した際に、ほぼ挿入部３と同形状となるように挿入部３に対応するように形成されており、このため袋詰脱水袋の連結は簡単かつ容易に行われ、任意の長さの袋詰脱水袋を一体的に形成できる。１９は、高含水比粘土の注入口である。
【００１２】
この袋の挿着部１１は、挿入部３の形状とほぼ同じものを他端部に作成し、その端部を袋本体２に取り付け、外部用ジョイントベルト位置から内部に折り返すことによって形成するのが容易にかつ効率よくできて好ましいが、折り返すことによって重なる部分の形成を避けるため、縮小部あるいは挿着部などを別に作成して取り付けるなどすることもできる。
【００１３】
凸部７あるいは凹部１５は、連続的にかつ対称的に縮小する形状とすることが好ましいが、これに限定されるものではなく、例えば段階的または非対称に縮小するものであってもよい。この先端閉口部も、直線的に閉じるもののほか、円形や長円状あるいは球面状に閉口するなど任意の形にすることができる。
また、挿入部あるいは挿着部は、図４に示すようにその一方または両方を屈曲（例えば直角方向に）する方向に形成して任意の方向に連結するようにできる。また、挿入部あるいは挿着部は、袋の端部に限らず任意の箇所に形成することも可能である。なお、通常、長い袋は、例えば筒状にしたものを順次縫着して作成されるが、この縫着部（図１で１点鎖線で示す）には縫い目部分からの漏れを防ぐうえから、シールテープなどを接着するのが好ましい。
以上の説明では、挿入部と挿着部に平行部を設けたものを示したが、場合によってはこの平行部を省略することもできる。また、ジョイントベルトによる連結固定は、リングなどの方法や、このほかチャック方式などの手段を利用することも可能である。
【００１４】
このような袋詰脱水用の袋を使用して袋詰脱水工事を行うには、所定の場所に２枚の袋１、２０を袋１の挿入部３と袋２０の挿着部１１を対向するごとく敷設し、袋２０の閉口部の内部用ジョイントベルト１７を袋外部に引き出したのち、袋１の挿入部３に取り付けられた閉口部の内部用ジョイントベルト９と突き合わせ、各ベルトに設けられた連結孔１０と１８にロープをらせん状に通すことによって締結する。次に、相互に結ばれた内部用ジョイントベルト９と１７を連結状態で挿着部１１に挿入して元の位置まで戻す。
【００１５】
すなわち、内部用ジョイントベルト９と１７によって連結状態となった挿入部３を、挿着部１１に入れて内部用ジョイントベルト１７の元の位置まで挿入する。この際、袋本体に付設した外部用ジョイントベルト４と１２は相互に対向する位置に来るので、相互の外部用ジョイントベルト４と１２をその連結孔５と１３にロープをらせん状に通すことによって締結する。その後、袋１に高含水比粘土を注入口１９から供給する。袋１の凸部７に高含水比粘土がある程度注入され、形が形成されたのち、袋２０に高含水比粘土を注入する。この注入の前もしくは後に、次に連結すべき袋詰脱水袋３０を敷設し、前記と同様に連結する。なお、施工条件あるいは状況などによっては、連結は高含水比粘土を注入したのち、該注入した袋に直接つなぐようにしてもよい。
【００１６】
袋詰脱水用の袋は、以上の説明から分かるように、両端部にそれぞれ対応する凸部と凹部を有する挿入部ならびに挿着部を設け、袋本体の外部と凹凸の先端部に取り付けた内外部用ジョイントベルトで２つの袋を固定することにより、２以上の袋を順次連結して延長するとともに、これらを一体化することを可能にしている。袋の連結は、内外部用ジョイントベルトを相互にロープなどを通して結ぶことによって、２つの袋は内外部で二重に固定されるため、確実かつ的確に連結できる。また、挿入部と挿着部は、凸凹状に対応する形状に形成されており、両袋は端部においてほぼ密着し、崩れや滑りなど生じない一体的な強固な連結も可能であり、築堤や護岸、盛土など広範囲な土構築物への効果的な適用が容易となる。
【００１７】
なお、以上の説明では、袋の端部に凸部を有する挿入部と凹部を有する挿着部を形成した例について説明したが、本発明はこれに限定されるものではない。例えば、両端とも凸部を有する挿入部（凸部を袋内部に押し込むと、凹部を有する挿着部にもなる）にしたものであってもよく、さらに一端部に凸部を有する挿入部（または凹部を有する挿着部）を形成したものであれば、他端部はどのような形状に形成したものでも利用可能である。
また、袋詰脱水袋は、通常、ポリエステルやポリプロピレンの織布、不織布などが使用されるが、これらに限定されるものではない。
さらに、布の透水係数は、一般に１．０×１０-3ｃｍ／ｓ以上を有するものが好ましい。
【００１８】
【発明の効果】
本発明によれば、袋体の端部が相互に挿入、挿着可能に構成されているため、袋体は簡単かつ容易に任意の長さや方向に延長可能であり、また容積も嵩張らず取り扱い性が良いばかりでなく、施工条件や場所などに応じて適宜袋体の長さが容易にかつ迅速に適応できる。従って、施工現場で一体的に固定された長い袋詰脱水袋が簡単に組立できるため、極めて効率的に広い範囲での適用が容易になるという顕著な効果を奏する。
【図面の簡単な説明】
【図１】本発明を実施するに好適な一例を示す袋詰脱水袋の斜視模式図である。
【図２】（ａ）、（ｂ）は図１の袋一端に設けた挿入部の平面図と側面図、（ｃ）、（ｄ）は図１の袋他端に設けた挿着部の平面図と側面図、（ｅ）は図（ａ）のａ部断面説明図である。
【図３】本発明に係る袋を連結した状態を説明するための横断面模式図である。
【図４】本発明の他の実施例を説明するための斜視模式図である。
【符号の説明】
１  袋詰脱水袋
２  袋本体
３  挿入部
４  外部用ジョイントベルト
５  連結孔
６  平行部
７  凸部
８  閉口部
９  内部用ジョイントベルト
１０  連結孔
１１  挿着部
１２  外部用ジョイントベルト
１３  連結孔
１４  平行部
１５  凹部
１６  閉口部
１７  内部用ジョイントベルト
１８  連結孔
１９  注入口
２０  袋詰脱水袋
３０  袋詰脱水袋
【図１】
0003742240.tif 000002
【図２】
0003742240.tif 000003
【図３】
0003742240.tif 000004
【図４】
0003742240.tif 000005